(57)【要約】【課題】  配線基板に実装されたもとで配線板状部材が差し込まれ、配線板状部材を配線基板に連結するコネクタ装置であって、全体の薄型化と配線基板上における占有スペースの低減とを両立させることができるものを提供する。【解決手段】  配線基板に配される絶縁ハウジング１３と、絶縁ハウジングに配列配置された複数のコンタクト１６と、複数のコンタクトに係合するカム部２４を有して絶縁ハウジングに対して滑動可能に設けられたスライダー１８とを備え、絶縁ハウジングにそれにおける板状部材差込み部１４を通じてＦＰＣ１２が差し込まれたもとで、スライダーが、板状部材差込み部側から操作されることにより、ＦＰＣの絶縁ハウジングへの差込み方向に移動し、複数のコンタクトをＦＰＣに対する押圧接触状態から解放する第１の位置と複数のコンタクトにＦＰＣに対する押圧接触状態をとらせる第２の位置とを選択的にとる。【選択図】  図１０
2019050115.tif 000002
【特許請求の範囲】
【請求項１】
板状部材差込み部が設けられて配線基板に配される絶縁ハウジングと、
該絶縁ハウジングに配列配置されて各々が配線基板における配線端子部に接続される複数のコンタクトと、
該複数のコンタクトに係合するカム部を有して上記絶縁ハウジングに対して滑動可能に設けられ、上記複数のコンタクトを上記絶縁ハウジングに上記板状部材差込み部を通じて差し込まれた配線板状部材に対する押圧接触状態から解放する第１の位置と上記複数のコンタクトに上記押圧接触状態をとらせる第２の位置とをとるスライダーと、
を備え、
上記絶縁ハウジングが上記配線板状部材の上記絶縁ハウジングへの上記板状部材差込み部を通じた差込み方向に沿う方向に伸びるガイド部が設けられたものとされ、
上記複数のコンタクトの夫々が上記配線板状部材における接触端子部に当接する状態をとる接触部と上記カム部により押圧される状態をとる受圧部とを有し、
上記スライダーが、上記ガイド部に係合する被ガイド部が設けられたものとされ、上記板状部材差込み部側から操作されることにより、上記被ガイド部が上記ガイド部による案内を受けるもとで上記絶縁ハウジングに対して上記差込み方向に沿う方向に移動して上記第１の位置と上記第２の位置とを選択的にとり、
上記スライダーが上記第１の位置をとるとき、上記カム部が、上記受圧部から離隔して上記接触部を上記配線板状部材に対する押圧当接状態から解放し、上記スライダーが上記第２の位置をとるとき、上記カム部が、上記受圧部に当接して該受圧部を押圧移動させ、上記接触部に上記配線板状部材に対する押圧当接状態をとらせることを特徴とするコネクタ装置。
【請求項２】
上記スライダーにおけるカム部が、上記複数のコンタクトの配列方向に沿って伸びるものとされたことを特徴とする請求項１記載のコネクタ装置。
【請求項３】
上記絶縁ハウジングにおけるガイド部が、上記絶縁ハウジングにおける上記複数のコンタクトの配列方向において相互対向する一対の側縁部の夫々に形成され、上記スライダーが上記一対の側縁部に夫々沿って伸びる一対の腕状部を有し、該一対の腕状部の夫々に上記被ガイド部が形成されたことを特徴とする請求項１記載のコネクタ装置。
【請求項４】
上記ガイド部が上記一対の側縁部の夫々に形成されて上記差込み方向に沿う方向に伸びる凸部を成し、上記被ガイド部が上記一対の腕状部の夫々に形成されて上記差込み方向に沿う方向に伸びる凹部を成すことを特徴とする請求項３記載のコネクタ装置。
【請求項５】
上記複数のコンタクトの夫々が、上記差込み方向に沿う方向に伸びて上記絶縁ハウジングに固定される固定ビーム部と該固定ビーム部に沿って伸びて可動とされた可動ビーム部と上記可動ビーム部を上記固定ビーム部に連結する連結部とを有し、上記可動ビーム部における上記差込み方向に沿う方向の両端部分に上記接触部と上記受圧部とが夫々設けられていることを特徴とする請求項１記載のコネクタ装置。
【請求項６】
上記接触部及び上記受圧部の夫々が、上記可動ビーム部から上記固定ビーム部に向って突出する突起部を成すことを特徴とする請求項５記載のコネクタ装置。
【請求項７】
板状部材差込み部が設けられて配線基板に配される絶縁ハウジングと、該絶縁ハウジングに配列配置されて各々が配線基板における配線端子部に接続される複数のコンタクトと、該複数のコンタクトに係合するカム部を有して上記絶縁ハウジングに対して滑動可能に設けられ、上記複数のコンタクトを上記絶縁ハウジングに上記板状部材差込み部を通じて差し込まれた配線板状部材に対する押圧接触状態から解放する第１の位置と上記複数のコンタクトに上記押圧接触状態をとらせる第２の位置とをとるスライダーとを備え、上記絶縁ハウジングに上記配線板状部材の上記板状部材差込み部を通じた差込み方向に沿う方向に伸びるガイド部が設けられ、上記複数のコンタクトの夫々が上記配線板状部材における接触端子部に当接する状態をとる接触部と上記カム部により押圧される状態をとる受圧部とを有し、上記スライダーが、上記ガイド部に係合する被ガイド部が設けられたものとされ、上記板状部材差込み部側から操作されることにより、上記被ガイド部が上記ガイド部による案内を受けるもとで上記絶縁ハウジングに対して上記差込み方向に沿う方向に移動して上記第１の位置と上記第２の位置とを選択的にとるものとされたコネクタ装置を用意し、該コネクタ装置において上記スライダーを上記第１の位置をとるものとしたもとで、配線板状部材を上記板状部材差込み部を通じて上記絶縁ハウジングに差し込み、
その後、上記スライダーを、該スライダーに上記板状部材込み部側からの操作を加えて、上記絶縁ハウジングに対して上記第１の位置から上記第２の位置へと上記差込み方向に沿う方向に移動させ、上記カム部に上記受圧部に当接して該受圧部を押圧移動させる状態をとらせて、上記接触部に上記配線板状部材に対する押圧当接状態をとらせること、
を特徴とするコネクタ装置に配線板状部材を圧接連結する方法。
【請求項８】
上記スライダーが上記第１の位置をとるもとで、上記配線板状部材を上記絶縁ハウジングに上記板状部材差込み部を通じて差し込む操作を、上記配線板状部材を保持する冶具を用い、該冶具を、上記配線板状部材を保持したもとで、上記絶縁ハウジングに向けて上記板状部材差込み部の外部から近接移動させることにより行うことを特徴とする請求項７記載のコネクタ装置に配線板状部材を圧接連結する方法。
【請求項９】
上記スライダーを上記絶縁ハウジングに対して上記第１の位置から上記第２の位置へと上記差込み方向に沿う方向に移動させる操作を、上記冶具を、上記絶縁ハウジングに上記板状部材差込み部を通じて差し込まれた上記配線板状部材に対して移動可能とし、上記冶具の一部分を上記スライダーにおける上記板状部材差込み部側の端部に当接させたもとで上記絶縁ハウジングに向けて更に近接移動させることにより行うことを特徴とする請求項８記載のコネクタ装置に配線板状部材を圧接連結する方法。
【発明の詳細な説明】
【技術分野】
【０００１】
本願の特許請求の範囲に記載された発明は、ソリッド印刷配線基板等とされる配線基板に固定されて、フレキシブル印刷配線基板（ＦＰＣ）や平板状ケーブル（ＦＦＣ）等の配線板状部材が挿入される絶縁ハウジングと、絶縁ハウジングに配されて配線基板に電気的に連結される複数のコンタクトと、絶縁ハウジングに対して移動可能とされ、複数のコンタクトに絶縁ハウジングに挿入された配線板状部材に押圧接触状態を取らせるスライダーとを備えたコネクタ装置、及び、斯かるコネクタ装置に配線板状部材を圧接連結する方法に関する。
【背景技術】
【０００２】
各種の電子機器に実装される比較的小型なフレキシブル印刷配線基板等の配線板状部材にあっては、種々の電気部品が取り付けられるソリッド印刷配線基板等の配線基板への取付けが、当該配線基板に電気的接続がなされて固定されるコネクタ装置が用いられて行われることが多い。このような配線板状部材の配線基板への取付けにあたって用いられるコネクタ装置は、配線板状部材が挿入される絶縁ハウジングと、絶縁ハウジングに配列配置されて絶縁ハウジングに挿入された配線板状部材における接触端子部に接触接続される導電性を具えた複数のコンタクトとを有していて、それら複数のコンタクトを介して、配線板状部材に設けられた接触端子部を当該コネクタ装置が固定された配線基板における配線端子に電気的に連結する。
【０００３】
このような複数の接触端子部が設けられたフレキシブル印刷配線基板等とされる配線板状部材を配線基板に取り付けるにあたって用いられるコネクタ装置にあっては、それが搭載された配線基板上における当該配線基板からの突出寸法、即ち、高さ寸法が比較的小とされる薄型化が図られることが、一般的に要望される事項の一つとされている。従来においては、このような要望事項に応えたものとして、回路基板上に配されて用いられるにあたり薄型化を図ることができるコネクタ装置が提案されている（例えば、特許文献１参照。）。
【０００４】
特許文献１に示されるコネクタ装置（フレキシブル基板接続用コネクタ(1))は、配線基板（回路基板等）に配される絶縁ハウジング(2) を備えている。そして、絶縁ハウジングにあっては、それにおける一対の相互対向端面部（前面部及び後面部）の一方（前面部）に、配線板状部材（フレキシブル基板(6))を収容する板状部材収容部（基板挿入凹部(7))の開口部（板状部材差込み部）が形成されており、また、一対の相互対向端面部の他方 (後面部）に、絶縁ハウジングに対して滑動可能とされるスライダー（スライドカバー(3))が挿入されるカバー挿入凹部(8) の開口部が形成されている。また、絶縁ハウジングには、複数のコンタクト(4) が、一対の相互対向端面部の相互対向方向に直交する方向に沿って配列配置されている。
【０００５】
複数のコンタクトの夫々は、導電性金属板を略Ｈ形状に打ち抜くことにより形成された、一対の相互対向端面部の相互対向方向に沿って伸びる板状部材を成していて、絶縁ハウジングに固定される固定ビーム部（コンタクト本体(13)) と固定ビーム部に対して移動可動とされた受圧片(14)及び接触片(15)を含んだ可動ビーム部と可動ビーム部を固定ビーム部に連結する連結部（支持部(16)) とを有している。そして、固定ビーム部の一端部に、配線基板における配線端子（パターン）に接続される接続部（脚部(13a))が設けられており、また、可動ビーム部における受圧片の端部に、スライダーに係合するロック突部(14a) が設けられている。
【０００６】
スライダーは、絶縁ハウジング外に配される操作部(11)と操作部から伸びて絶縁ハウジングにおけるカバー挿入凹部内に挿入されるものとされる押圧片(10)とが、絶縁性プラスチック樹脂によって一体に形成されて構成されたものとされている。そして、押圧片には、絶縁ハウジングにおけるカバー挿入凹部内に挿入されたもとで、複数のコンタクトの夫々の可動ビーム部における受圧片に設けられたロック突部が係合するものとされるロック凹部 (10a)が設けられている。
【０００７】
このような特許文献１に示されるコネクタ装置にあっては、絶縁ハウジングにおける板状部材収容部にその開口部を通じて配線板状部材が配線基板に沿って差し込まれると、板状部材収容部内において、配線板状部材が絶縁ハウジングに配列配置された複数のコンタクトの夫々における固定ビーム部と可動ビーム部との間に配される。続いて、スライダーが、その押圧片が絶縁ハウジングにおけるカバー挿入凹部にその開口部を通じて配線基板に沿って挿入されたものとされた後、その操作部に板状部材収容部の開口部側に向う押圧力が加えられて、押圧片がカバー挿入凹部内において板状部材収容部の開口部に向かって押し込まれると、複数のコンタクトの夫々の可動ビーム部における受圧片に設けられたロック突部が、スライダーにおける押圧片に乗り上げて、押圧片に設けられたロック凹部に係合する状態がとられる。
【０００８】
斯かる際、複数のコンタクトの夫々の可動ビーム部における受圧片に設けられたロック突部がスライダーにおける押圧片に乗り上げるときには、それにより、複数のコンタクトの夫々の可動ビーム部における受圧片が、複数のコンタクトの夫々の固定ビーム部から離隔する方向に移動せしめられ、それに伴って、複数のコンタクトの夫々の可動ビーム部における接触片が、複数のコンタクトの夫々の固定ビーム部に近接する方向に移動せしめられて、複数のコンタクトの夫々における固定ビーム部と可動ビーム部との間に配された配線板状部材に対する押圧接触状態をとるものとされる。それにより、配線板状部材が複数のコンタクトの夫々を介して、複数のコンタクトの夫々における固定ビーム部に設けられた接続部が接続された配線端子を有する配線基板に電気的に連結される。
【０００９】
そして、スライダーにおける押圧片に乗り上げた複数のコンタクトの夫々のロック突部が、スライダーにおける押圧片に設けられたロック凹部に係合する状態がとられることにより、スライダーの移動が規制され、複数のコンタクトの夫々の可動ビーム部における受圧片が複数のコンタクトの夫々の固定ビーム部から離隔する方向に移動せしめられた状態が維持され、その結果、複数のコンタクトの夫々の可動ビーム部における接触片がとる複数のコンタクトの夫々における固定ビーム部と可動ビーム部との間に配された配線板状部材に対する押圧接触状態が安定に維持される。
【００１０】
上述の特許文献１に示されるコネクタ装置においては、配線基板に配される絶縁ハウジングに対して、それにおける一対の相互対向端面部の一方側から配線板状部材が配線基板に沿って板状部材収容部に差し込まれるとともに、一対の相互対向端面部の他方側からスライダーにおける押圧片が配線基板に沿ってカバー挿入凹部に差し込まれて、スライダーが、絶縁ハウジングに対してその一対の相互対向端面部の相互対向方向に沿って移動するものとされる。それにより、絶縁ハウジングに対して滑動可能とされたスライダーを、絶縁ハウジングが配された配線基板上において絶縁ハウジングを越えて突出することがないものとすることができ、それにより、コネクタ装置全体の薄型化を図ることができることになる。
【先行技術文献】
【特許文献】
【００１１】
【特許文献１】特開２００２−５０４２３号公報
【発明の概要】
【発明が解決しようとする課題】
【００１２】
前述のような、フレキシブル印刷配線基板等の配線板状部材の配線基板への取付けに用いられるコネクタ装置として従来提案されているものは、配線基板に配される絶縁ハウジングにおける一対の相互対向端面部の一方側が配線板状部材差込み側とされるとともに他方側がスライダー挿入側とされたもとで、スライダーが、配線基板に配された絶縁ハウジングに対してスライダー挿入側から配線板状部材差込み側に向かう方向及び配線板状部材差込み側からスライダー挿入側に向かう方向のいずれにも配線基板に沿って移動可能なものとされ、それにより、コネクタ装置全体の薄型化を図ることができるものとされるが、その反面、配線基板に配された絶縁ハウジングにおける配線板状部材差込み側の外方及びスライダー挿入側の外方の両者において、配線基板上の比較的大なる空きスペースが必要とされることになるという不都合を伴っている。
【００１３】
即ち、配線基板に配された絶縁ハウジングの配線板状部材差込み側の外方には、絶縁ハウジングにおける板状部材収容部にその開口部を通じて配線板状部材を配線基板に沿って差し込む操作を行うための配線基板上の空きスペースが必要とされ、また、それに加えて、配線基板に配された絶縁ハウジングのスライダー挿入側の外方に、スライダーにおける操作部を配設して、その操作部を絶縁ハウジングに対してスライダー挿入側から配線板状部材差込み側に向かう方向あるいは配線板状部材差込み側からスライダー挿入側に向かう方向に移動させる操作を行うための配線基板上の空きスペースが必要とされるのである。このように、絶縁ハウジングの配線板状部材差込み側の外方における、絶縁ハウジングにおける板状部材収容部にその開口部を通じて配線板状部材を配線基板に沿って差し込む操作を行うための配線基板上の空きスペースに加えて、絶縁ハウジングのスライダー挿入側の外方における、スライダーの操作部を配設して、その操作部を絶縁ハウジングに対してスライダー挿入側から配線板状部材差込み側に向かう方向あるいは配線板状部材差込み側からスライダー挿入側に向かう方向に移動させる操作を行うための配線基板上の空きスペースが必要とされることは、絶縁ハウジングが配される配線基板上において比較的大なる空きスペースが、コネクタ装置の占有スペースとして要されることになってしまうのである。
【００１４】
斯かる点に鑑み、本願の特許請求の範囲に記載された発明は、板状部材差込み部が設けられて配線基板に配される絶縁ハウジングに、複数のコンタクトが配列配置されて配されるとともに、複数のコンタクトに係合するカム部を有したスライダーが絶縁ハウジングに対して滑動可能とされて設けられ、スライダーが複数のコンタクトに絶縁ハウジングに板状部材差込み部を通じて差し込まれた配線板状部材に対する押圧接触状態をとらせるコネクタ装置であって、全体の薄型化と配線基板上における占有スペースの低減とを両立させることができるものを提供し、さらには、斯かるコネクタ装置に対する配線板状部材の圧接連結を容易かつ適正に行うことができるコネクタ装置に配線板状部材を圧接連結する方法を提供する。
【課題を解決するための手段】
【００１５】
本願の特許請求の範囲における請求項１から請求項６までのいずれかに記載された発明（以下、本願発明の第１の態様という。）に係るコネクタ装置は、板状部材差込み部が設けられて配線基板に配される絶縁ハウジングと、絶縁ハウジングに配列配置されて各々が配線基板における配線端子部に接続される複数のコンタクトと、複数のコンタクトに係合するカム部を有して絶縁ハウジングに対して滑動可能に設けられ、複数のコンタクトを、絶縁ハウジングに板状部材差込み部を通じて差し込まれた配線板状部材に対する押圧接触状態から解放する第１の位置と、複数のコンタクトに、絶縁ハウジングに板状部材差込み部を通じて差し込まれた配線板状部材に対する押圧接触状態をとらせる第２の位置とをとるスライダーとを備えて構成され、絶縁ハウジングが配線板状部材の絶縁ハウジングへの板状部材差込み部を通じた差込み方向に沿う方向に伸びるガイド部が設けられたものとされ、複数のコンタクトの夫々が配線板状部材における接触端子部に当接する状態をとる接触部とカム部により押圧される状態をとる受圧部とを有し、スライダーが、ガイド部に係合する被ガイド部が設けられたものとされ、絶縁ハウジングにおける板状部材差込み部側から操作されることにより、被ガイド部が絶縁ハウジングに設けられたガイド部による案内を受けるもとで、絶縁ハウジングに対して配線板状部材の絶縁ハウジングへの板状部材差込み部を通じた差込み方向に沿う方向に移動して第１の位置と第２の位置とを選択的にとり、スライダーが第１の位置をとるとき、カム部が、コンタクトにおける受圧部から離隔してコンタクトにおける接触部を配線板状部材に対する押圧当接状態から解放し、スライダーが第２の位置をとるとき、カム部が、コンタクトにおける受圧部に当接して当該受圧部を押圧移動させ、コンタクトにおける接触部に配線板状部材に対する押圧当接状態をとらせることを特徴とするものとされる。
【００１６】
また、本願の特許請求の範囲における請求項７から請求項９までのいずれかに記載された発明（以下、本願発明の第２の態様という。）に係るコネクタ装置に配線板状部材を圧接連結する方法は、板状部材差込み部が設けられて配線基板に配される絶縁ハウジングと、絶縁ハウジングに配列配置されて各々が配線基板における配線端子部に接続される複数のコンタクトと、複数のコンタクトに係合するカム部を有して絶縁ハウジングに対して滑動可能に設けられ、複数のコンタクトを、絶縁ハウジングに板状部材差込み部を通じて差し込まれた配線板状部材に対する押圧接触状態から解放する第１の位置と、複数のコンタクトに、絶縁ハウジングに板状部材差込み部を通じて差し込まれた配線板状部材に対する押圧接触状態をとらせる第２の位置とをとるスライダーとを備え、絶縁ハウジングに配線板状部材の板状部材差込み部を通じた差込み方向に沿う方向に伸びるガイド部が設けられ、複数のコンタクトの夫々が配線板状部材における接触端子部に当接する状態をとる接触部とカム部により押圧される状態をとる受圧部とを有し、スライダーが、ガイド部に係合する被ガイド部が設けられたものとされ、絶縁ハウジングにおける板状部材差込み部側から操作されることにより、被ガイド部がガイド部による案内を受けるもとで、絶縁ハウジングに対して配線板状部材の絶縁ハウジングへの板状部材差込み部を通じた差込み方向に沿う方向に移動して第１の位置と第２の位置とを選択的にとるものとされたコネクタ装置を用意し、当該コネクタ装置においてスライダーを第１の位置をとるものとしたもとで、配線板状部材を絶縁ハウジングに板状部材差込み部を通じて差し込み、その後、スライダーを絶縁ハウジングにおける板状部材差込み部側から操作して絶縁ハウジングに対して第１の位置から第２の位置へと配線板状部材の絶縁ハウジングへの板状部材差込み部を通じた差込み方向に沿う方向に移動させ、カム部に、コンタクトにおける受圧部に当接して受圧部を押圧移動させる状態をとらせて、コンタクトにおける接触部に配線板状部材に対する押圧当接状態をとらせることを特徴とするものとされる。
【００１７】
上述のように構成される本願発明の第１の態様に係るコネクタ装置にあっては、板状部材差し込み部が設けられて複数のコンタクトが配列配置された絶縁ハウジングが、配線板状部材の絶縁ハウジングへの板状部材差込み部を通じた差込み方向に沿う方向に伸びるガイド部が設けられたものとされ、また、複数のコンタクトの夫々が、配線板状部材における接触端子部に当接する状態をとる接触部とスライダーのカム部により押圧される状態をとる受圧部とを有したものとされ、さらに、スライダーが、ガイド部に係合する被ガイド部が設けられて、絶縁ハウジングにおける板状部材差込み部側から操作されることにより、被ガイド部が絶縁ハウジングに設けられたガイド部による案内を受けるもとで、絶縁ハウジングに対して配線板状部材の絶縁ハウジングへの板状部材差込み部を通じた差込み方向に沿う方向に移動して第１の位置と第２の位置とを選択的にとるものとされたもとで、配線板状部材が絶縁ハウジングに板状部材差込み部を通じて差し込まれた状態において、スライダーが第１の位置をとるとき、スライダーのカム部が、コンタクトにおける受圧部から離隔して、コンタクトにおける接触部を配線板状部材に対する押圧当接状態から解放し、スライダーが第２の位置をとるとき、スライダーのカム部が、コンタクトにおける受圧部に当接して当該受圧部を押圧移動させ、コンタクトにおける接触部に配線板状部材に対する押圧当接状態をとらせる。
【００１８】
このようにしてコンタクトにおける接触部が、板状部材差し込み部を通じて絶縁ハウジングに差し込まれた配線板状部材に対する押圧当接状態をとるものとされるとき、配線板状部材における接触端子部が、各々が接触部と受圧部とを有する複数のコンタクトの夫々を介して、各コンタクトが接続される配線基板における配線端子部に電気的に連結され、コネクタ装置を用いての配線板状部材の配線基板への取付けが行われることになる。
【００１９】
また、本願発明の第２の態様に係るコネクタ装置に配線板状部材を圧接連結する方法にあっては、板状部材差し込み部が設けられて複数のコンタクトが配列配置された絶縁ハウジングが、配線板状部材の絶縁ハウジングへの板状部材差込み部を通じた差込み方向に沿う方向に伸びるガイド部が設けられたものとされ、また、複数のコンタクトの夫々が、配線板状部材における接触端子部に当接する状態をとる接触部とスライダーのカム部により押圧される状態をとる受圧部とを有したものとされ、さらに、スライダーが、ガイド部に係合する被ガイド部が設けられて、絶縁ハウジングにおける板状部材差込み部側から操作されることにより、被ガイド部が絶縁ハウジングに設けられたガイド部による案内を受けるもとで、絶縁ハウジングに対して配線板状部材の絶縁ハウジングへの板状部材差込み部を通じた差込み方向に沿う方向に移動して第１の位置と第２の位置とを選択的にとるものとされたコネクタ装置が用意されたもとで、コネクタ装置においてスライダーが第１の位置をとる状態において、配線板状部材を絶縁ハウジングに板状部材差込み部を通じて差し込み、その後、スライダーを絶縁ハウジングにおける板状部材差込み部側から操作して絶縁ハウジングに対して第１の位置から第２の位置へと配線板状部材の絶縁ハウジングへの板状部材差込み部を通じた差込み方向に沿う方向に移動させ、スライダーのカム部に、コンタクトにおける受圧部に当接して受圧部を押圧移動させる状態をとらせて、コンタクトにおける接触部に配線板状部材に対する押圧当接状態をとらせる。
【００２０】
配線板状部材の絶縁ハウジングへの板状部材差込み部を通じた差込みについては、例えば、配線板状部材を保持する冶具（Ｊｉｇ）を用い、当該冶具を、配線板状部材を保持したもとで、絶縁ハウジングに向けて板状部材差込み部の外部から近接移動させることにより行うこともできる。また、スライダーを絶縁ハウジングに対して第１の位置から第２の位置へと移動させる操作については、例えば、配線板状部材を保持した冶具を、その一部分をスライダーにおける板状部材差込み部側の端部に当接させたもとで、絶縁ハウジングに向けて更に近接移動させることにより行うこともできる。
【００２１】
このようにしてコンタクトにおける接触部が、絶縁ハウジングに板状部材差し込み部を通じて差し込まれた配線板状部材に対する押圧当接状態をとるものとされるとき、配線板状部材における接触端子部が、各々が接触部と受圧部とを有するものとされた複数のコンタクトの夫々を介して、各コンタクトが接続される配線基板における配線端子部に電気的に連結され、コネクタ装置に配線板状部材が圧接連結されることになる。
【発明の効果】
【００２２】
上述の本願発明の第１の態様に係るコネクタ装置及び本願発明の第２の態様に係るコネクタ装置に配線板状部材を圧接連結する方法の夫々にあっては、配線基板に配される絶縁ハウジングに、それに設けられた板状部材差込み部を通じて配線板状部材が差し込まれるとともに、絶縁ハウジングに対して配線板状部材の絶縁ハウジングへの板状部材差込み部を通じた差込み方向に沿う方向に移動可能とされたスライダーが、絶縁ハウジングに設けられた板状部材差込み部側から操作されて、絶縁ハウジングに対して配線板状部材の絶縁ハウジングへの板状部材差込み部を通じた差込み方向に沿う方向に移動せしめられて第１の位置と第２の位置とを選択的にとるものとされ、スライダーが第１の位置をとるとき、複数のコンタクトが、絶縁ハウジングに板状部材差込み部を通じて差し込まれた配線板状部材に対する押圧接触状態から解放され、また、スライダーが第２の位置をとるとき、複数のコンタクトが、絶縁ハウジングに板状部材差込み部を通じて差し込まれた配線板状部材に対する押圧接触状態をとるものとされる。
【００２３】
このように、配線基板に配される絶縁ハウジングに対する板状部材差込み部を通じた配線板状部材の差込みと、スライダーに、それを絶縁ハウジングに対して配線板状部材の絶縁ハウジングへの板状部材差込み部を通じた差込み方向に沿う方向に移動させて、第１の位置と第２の位置と選択的にとらせる操作とのいずれもが、絶縁ハウジングに設けられた板状部材差込み部側から行われる。その結果、配線板状部材の絶縁ハウジングへの板状部材差込み部を通じた差込み方向を、絶縁ハウジングが配された配線基板の面に沿う方向とすることにより、コネクタ装置についての、それが搭載された配線基板上における当該配線基板からの突出寸法、即ち、高さ寸法を比較的小となす薄型化を図ることができ、さらに、配線基板に配された絶縁ハウジングにおける板状部材差込み部側の外部に設けられる、配線板状部材を絶縁ハウジングに板状部材差込み部を通じて差し込む操作を行うための空きスペースに加えて、絶縁ハウジングにおける板状部材差込み部側とは反対側の外部に、スライダーを絶縁ハウジングに対して配線板状部材の絶縁ハウジングへの板状部材差込み部を通じた差込み方向に沿う方向に移動させる操作を行うための空きスペースを設けることが不要とされて、配線基板上における占有スペースの低減を図ることができ、さらに、コネクタ装置に対する配線板状部材の圧接連結を容易かつ適正に行うことができる。
【００２４】
即ち、本願発明の第１の態様に係るコネクタ装置によれば、板状部材差込み部が設けられて配線基板に配される絶縁ハウジングに、複数のコンタクトが配列配置されて配されるとともに、複数のコンタクトに係合するカム部を有したスライダーが絶縁ハウジングに対して滑動可能とされて設けられたもとで、スライダーが複数のコンタクトに絶縁ハウジングに板状部材差込み部を通じて差し込まれた配線板状部材に対する押圧接触状態をとらせるにあたり、コネクタ装置全体の薄型化と配線基板上における占有スペースの低減とを両立させることができることになり、さらには、本願発明の第２の態様に係るコネクタ装置に配線板状部材を圧接連結する方法によれば、全体の薄型化と配線基板上における占有スペースの低減とを両立させることができるコネクタ装置に、配線板状部材を容易かつ適正に圧接連結することができることになる。
【図面の簡単な説明】
【００２５】
【図１】本願発明の第１の態様に係るコネクタ装置の一例を、それが実装された配線基板及びそれに装着されるフレキシブル印刷配線基板と共に示す斜視図である。
【図２】本願発明の第１の態様に係るコネクタ装置の一例を、絶縁ハウジングからスライダーを分離した状態をもって示す斜視図である。
【図３】図２に示されるスライダーについての図２における III−III 線断面を含んだ部分斜視図である。
【図４】配線基板に実装された本願発明の第１の態様に係るコネクタ装置の一例にフレキシブル印刷配線基板が装着された状態を示す斜視図である。
【図５】本願発明の第１の態様に係るコネクタ装置の一例にフレキシブル印刷配線基板が装着された状態を示す平面図である。
【図６】図５におけるVI−VI線断面を示す断面図である。
【図７】図５における VII−VII 線断面を示す断面図である。
【図８】本願発明の第１の態様に係るコネクタ装置の一例において、フレキシブル印刷配線基板が装着されたもとで、スライダーが絶縁ハウジングに対して滑動せしめられた状態を示す斜視図である。
【図９】本願発明の第１の態様に係るコネクタ装置の一例において、フレキシブル印刷配線基板が装着されたもとで、スライダーが絶縁ハウジングに対して滑動せしめられた状態を示す平面図である。
【図１０】図９における X−X 線断面を示す断面図である。
【図１１】図９におけるXI−XI線断面を示す断面図である。
【図１２】配線基板に実装された本願発明の第１の態様に係るコネクタ装置の一例とそれに装着されるフレキシブル印刷配線基板とフレキシブル印刷配線基板を保持した可動冶具機構（可動Ｊｉｇ機構）とを示す斜視図である。
【図１３】本願発明の第１の態様に係るコネクタ装置の一例とそれに装着されるフレキシブル印刷配線基板とフレキシブル印刷配線基板を保持した可動冶具機構とを示す平面図である。
【図１４】本願発明の第１の態様に係るコネクタ装置の一例に可動冶具機構によって保持されたフレキシブル印刷配線基板が装着された状態を示す平面図である。
【図１５】本願発明の第１の態様に係るコネクタ装置の一例に可動冶具機構によって保持されたフレキシブル印刷配線基板が装着されたもとで、可動冶具機構における一対の冶具が相互離隔する方向に移動せしめられた状態を示す平面図である。
【図１６】本願発明の第１の態様に係るコネクタ装置の一例に可動冶具機構によって保持されたフレキシブル印刷配線基板が装着されたもとで、可動冶具機構における一対の冶具が、フレキシブル印刷配線基板に対して移動して、スライダーに当接するとともに当該スライダーを絶縁ハウジングに対して移動させた状態を示す平面図である。
【発明を実施するための形態】
【００２６】
本願発明の第１及び第２の態様を実施するための形態は、以下に述べられる本願発明の第１の態様についての実施例及び本願発明の第２の態様についての実施例をもって説明される。
【実施例１】
【００２７】
図１は、本発明の第１の態様に係るコネクタ装置の一例を成すコネクタ装置１０を、それが実装された配線基板１１及びそれに装着される配線板状部材を成すフレキシブル印刷配線基板（ＦＰＣ）１２と共に示す。
【００２８】
図１において、コネクタ装置１０は、合成樹脂等の絶縁材料によって形成され、電子機器等の配線基板１１に配される絶縁ハウジング１３を備えている。絶縁ハウジング１３には、それにおける一対の相互対向端縁部のうちの一方である正面側端縁部に、板状部材差込み部１４が設けられており、この板状部材差込み部１４を通じてフレキシブル印刷配線基板１２が絶縁ハウジング１３に差し込まれる状態がとられる。絶縁ハウジング１３においては、板状部材差込み部１４からその内部へと板状部材収容部が拡がっている。即ち、絶縁ハウジング１３には、その内部に、板状部材収容部が板状部材差込み部１４に連結されたものとして設けられていて、板状部材差込み部１４を通じて絶縁ハウジング１３に差し込まれたフレキシブル印刷配線基板１２が板状部材収容部に部分的に収容されるのである。そして、絶縁ハウジング１３は、図１において矢印Ｌにより示される方向を長手方向とするものとされており、フレキシブル印刷配線基板１２の板状部材差込み部１４を通じた絶縁ハウジング１３への差込み方向（以下、板状部材差込み方向という。）は、絶縁ハウジング１３の長手方向Ｌに直交する方向とされる。
【００２９】
また、絶縁ハウジング１３には、各々が導電性の弾性板状材料で形成された複数の第１のコンタクト１６と各々が導電性の弾性板状材料で形成された複数の第２のコンタクト１７とが、絶縁ハウジング１３の長手方向Ｌに沿う方向において交互に配される状態のもとに配列配置されて設けられている。即ち、複数の第１のコンタクト１６及び複数の第２のコンタクト１７の配列方向（以下、コンタクト配列方向という。）は、絶縁ハウジング１３の長手方向Ｌに沿う方向とされているのである。そして、複数の第１のコンタクト１６の夫々は、その大部分が絶縁ハウジング１３の内部に収容されたものとされているが、その一端部が絶縁ハウジング１３における一対の相互対向端縁部のうちの他方である、正面側端縁部に対向する背面側端縁部から、その外部に突出して接続端子部１６ａ（図１には現れていず、後述される図５に示されている。）を形成しており、また、複数の第２のコンタクト１７の夫々も、その大部分が絶縁ハウジング１３の内部に収容されたものとされているが、その一端部が絶縁ハウジング１３における正面側端縁部からその外部に突出して接続端子部１７ａを形成している。接続端子部１６ａ及び接続端子部１７ａは、配線基板１１における回路端子部 (図示が省略されている。）に接続される。
【００３０】
さらに、絶縁ハウジング１３には、それに対して板状部材差込み方向に沿う方向に滑動可能とされたスライダー１８が設けられている。スライダー１８は、絶縁ハウジング１３における背面側端縁部に沿って伸びるものとされた本体部１９と、本体部１９における絶縁ハウジング１３の長手方向Ｌの両端部から、絶縁ハウジング１３におけるコンタクト配列方向において相互対向する一対の側縁部２０及び２１に夫々沿って伸びる、一対の腕状部２２及び２３とを有して、全体としてコ字状を成すものとされている。
【００３１】
スライダー１８が絶縁ハウジング１３から分離された状態を示す図２に示されるように、絶縁ハウジング１３における一対の側縁部２０及び２１には、側縁部２０からその外部へと突出して板状部材差込み方向に沿う方向に伸びる凸部を成すガイド部２０ａ（図に現れない。）及び側縁部２１からその外部へと突出して板状部材差込み方向に沿う方向に伸びる凸部を成すガイド部２１ａが夫々設けられている。そして、スライダー１８における腕状部２２には、その内側部分に、絶縁ハウジング１３におけるガイド部２０ａに係合する凹部を成す被ガイド部２２ａが設けられており、また、スライダー１８における腕状部２３には、その内側部分に、絶縁ハウジング１３におけるガイド部２１ａに係合する凹部を成す被ガイド部２３ａが設けられている。それにより、スライダー１８は、その腕状部２２に設けられた被ガイド部２２ａが、絶縁ハウジング１３における側縁部２０に設けられたガイド部２０ａに係合して、当該ガイド部２０ａによる案内を受けるとともに、その腕状部２３に設けられた被ガイド部２３ａが、絶縁ハウジング１３における側縁部２１に設けられたガイド部２１ａに係合して、当該ガイド部２１ａによる案内を受けるもとで、絶縁ハウジング１３に対して板状部材差込み方向に沿う方向に移動するものとされている。
【００３２】
さらに、スライダー１８における一対の腕状部２２及び２３に挟まれた本体部１９には、スライダー１８についての図２における III−III 線断面を含んだ部分斜視図である図３にも示されるように、その内側部分に、絶縁ハウジング１３における背面側端縁部に沿って伸びる凸部を成すカム部２４が設けられている。斯かるスライダー１８の本体部１９に設けられたカム部２４は、スライダー１８が絶縁ハウジング１３にそれに対して板状部材差込み方向に沿う方向に滑動可能とされて配されたもとで、図２に示されるように、絶縁ハウジング１３における背面側端縁部からその外部へと突出する複数の第１のコンタクト１６及び複数の第２のコンタクト１７に係合するものとされている。即ち、カム部２４は、複数の第１のコンタクト１６及び複数の第２のコンタクト１７の配列方向に沿って伸びるものとされている。
【００３３】
このように構成されるスライダー１８は、絶縁ハウジング１３に対して板状部材差込み方向に沿う方向に移動するものとされたもとにおいて、図１に示されるような、本体部１９が、絶縁ハウジング１３における背面側端縁部に当接もしくは近接する位置におかれ、腕状部２２における板状部材差込み部１４側の端面部２２ｂ及び腕状部２３における板状部材差込み部１４側の端面部２３ｂの夫々が、絶縁ハウジング１３における板状部材差込み部１４が設けられた正面側端縁部からその外部へと突出した位置におかれることになる第１の位置と、後述される図８に示されるような、本体部１９が、絶縁ハウジング１３における背面側端縁部から板状部材差込み方向に沿う方向に離隔して当該背面側端縁部との間に空隙を形成する位置におかれ、腕状部２２における板状部材差込み部１４側の端面部２２ｂ及び腕状部２３における板状部材差込み部１４側の端面部２３ｂの夫々が、絶縁ハウジング１３における板状部材差込み部１４が設けられた正面側端縁部からその外部に突出しない位置におかれることになる第２の位置とを、選択的にとるものとされる。
【００３４】
絶縁ハウジング１３に板状部材差込み部１４を通じて差し込まれるフレキシブル印刷配線基板１２には、その一端部において、複数の第１の接触端子部３１と複数の第２の接触端子部３２とが、フレキシブル印刷配線基板１２が絶縁ハウジング１３に板状部材差込み部１４を通じて差し込まれる際における板状部材差込み方向に直交する方向において、交互に配される状態のもとに配列配置されている（以下、複数の第１の接触端子部３１と複数の第２の接触端子部３２とが配列配置されたフレキシブル印刷配線基板１２の一端部を端子端部３３という。）。また、フレキシブル印刷配線基板１２にあっては、端子端部３３に連なって回路構成部３４が広がっており、回路構成部３４における端子端部３３に隣接する部分には、複数の第１の接触端子部３１と複数の第２の接触端子部３２との配列方向（以下、接触端子部配列方向という。）において互いに逆向きに突出する一対の突出係合部３５及び３６が形成されている。
【００３５】
図４（斜視図）及び図５（平面図）は、回路基板１１に実装されたコネクタ装置１０に、そのスライダー１８が第１の位置をとるもとで、フレキシブル印刷配線基板１２が、絶縁ハウジング１３に設けられた板状部材差込み部１４を通じて絶縁ハウジング１３に差し込まれて装着された状態を示す（図５においては、回路基板１１の図示が省略されている。）。斯かるもとにあっては、フレキシブル印刷配線基板１２における端子端部３３及び一対の突出係合部３５及び３６が形成された部分が、スライダー１８における腕状部２２及び２３により挟まれたものとされるとともに、フレキシブル印刷配線基板１２における端子端部３３が、絶縁ハウジング１３の内部に板状部材差込み部１４に連結されたものとして設けられた板状部材収容部に収容される。そして、板状部材収容部には、複数の第１のコンタクト１６及び複数の第２のコンタクト１７の夫々の部分が配されている。
【００３６】
図５におけるVI−VI線断面を示す図６に示されるように、複数の第１のコンタクト１６の夫々は、金属板材等の導電性の弾性板状材料で形成された、全体として「エ」字状を成す板状部材とされている。このような「エ」字状とされた第１のコンタクト１６は、板状部材差込み方向に沿って伸びて絶縁ハウジング１３の底板部４０に固定された固定ビーム部４１と、固定ビーム部４１に沿って伸びて可動とされた可動ビーム部４２と、可動ビーム部４２を固定ビーム部４１に連結する連結部４３とを有している。
【００３７】
そして、固定ビーム部４１においては、絶縁ハウジング１３に設けられた板状部材差込み部１４側とは反対側の端部に、絶縁ハウジング１３における背面側端縁部からその外部へと突出して配線基板１１における回路端子部に接続される接続端子部１６ａが設けられている。斯かる接続端子部１６ａが設けられた固定ビーム部４１の端部は、絶縁ハウジング１３の底板部４０に固定されていて、それにより、複数の第１のコンタクト１６の夫々における固定ビーム部４１の全体が絶縁ハウジング１３の底板部４０に固定されていることになる。
【００３８】
一方、可動ビーム部４２においては、絶縁ハウジング１３に設けられた板状部材差込み部１４側の端部に、配線板状部材１２における第１の接触端子部３１に押圧接触する接触部４２ａが設けられるとともに、板状部材差込み部１４側とは反対側の端部に、スライダー１８におけるカム部２４による押圧を受ける状態をとる受圧部４２ｂが、固定ビーム部４１における接続端子部１６ａに対向するものとして設けられている。可動ビーム部４２に設けられた接触部４２ａ及び受圧部４２ｂの夫々は、可動ビーム部４２から固定ビーム部４１に向かって突出する突起部を成している。
【００３９】
また、図５における VII−VII 線断面を示す図７に示されるように、複数の第２のコンタクト１７の夫々も、金属板材等の導電性の弾性板状材料で形成された、全体として「エ」字状を成す板状部材とされている。このような「エ」字状とされた第２のコンタクト１７は、板状部材差込み方向に沿って伸びて絶縁ハウジング１３の底板部４０に固定された固定ビーム部４４と、固定ビーム部４４に沿って伸びて可動とされた可動ビーム部４５と、可動ビーム部４５を固定ビーム部４４に連結する連結部４６とを有している。
【００４０】
そして、固定ビーム部４４においては、絶縁ハウジング１３に設けられた板状部材差込み部１４側の端部に、絶縁ハウジング１３における正面側端縁部からその外部へと若干突出して配線基板１１における回路端子部に接続される接続端子部１７ａが設けられている。斯かる接続端子部１７ａが設けられた固定ビーム部４４の端部は、絶縁ハウジング１３の底板部４０に固定されていて、それにより、複数の第２のコンタクト１７の夫々における固定ビーム部４４の全体が絶縁ハウジング１３の底板部４０に固定されていることになる。
【００４１】
一方、可動ビーム部４５においては、絶縁ハウジング１３に設けられた板状部材差込み部１４側の端部に、配線板状部材１２における第２の接触端子部３２に押圧接触する接触部４５ａが設けられるとともに、板状部材差込み部１４側とは反対側の端部に、スライダー１８におけるカム部２４による押圧を受ける状態をとる受圧部４５ｂが、固定ビーム部４４における板状部材差込み部１４側とは反対側の端部に対向するものとして設けられている。可動ビーム部４５に設けられた接触部４５ａ及び受圧部４５ｂの夫々は、可動ビーム部４５から固定ビーム部４４に向かって突出する突起部を成している。
【００４２】
斯かるもとで、絶縁ハウジング１３に設けられた板状部材差込み部１４を通じて絶縁ハウジング１３に差し込まれたフレキシブル印刷配線基板１２における、絶縁ハウジング１３の内部に設けられた板状部材収容部に収容された端子端部３３は、図６及び図７に示されるように、複数の第１のコンタクト１６の夫々における固定ビーム部４１の板状部材差込み部１４側の部分とそれに対向する可動ビーム部４２の接触部４２ａが設けられた板状部材差込み部１４側の部分との間、及び、複数の第２のコンタクト１７の夫々における固定ビーム部４４の板状部材差込み部１４側の部分とそれに対向する可動ビーム部４５の接触部４５ａが設けられた板状部材差込み部１４側の部分との間に配される。それにより、複数の第１のコンタクト１６の夫々における可動ビーム部４２に設けられた接触部４２ａが、配線板状部材１２における第１の接触端子部３１に対向する位置をとるとともに、複数の第２のコンタクト１７の夫々における可動ビーム部４５に設けられた接触部４５ａが、配線板状部材１２における第２の接触端子部３２に対向する位置をとるものとされる。
【００４３】
このとき、第１の位置をとるスライダー１８における本体部１９に設けられたカム部２４は、図６に示されるように、複数の第１のコンタクト１６の夫々における可動ビーム部４２の一端部に設けられた受圧部４２ｂから板状部材差込み部１４側に離隔した位置をとり、当該受圧部４２ｂを押圧移動させる状態にはおかれない。それにより、複数の第１のコンタクト１６の夫々における可動ビーム部４２が変位移動を生じないものとされ、その結果、当該可動ビーム部４２に設けられた接触部４２ａが、板状部材差込み部１４を通じて絶縁ハウジング１３に差し込まれたフレキシブル印刷配線基板１２における端子端部３３に配された第１の接触端子部３１に押圧当接状態におかれることがない。
【００４４】
また、第１の位置をとるスライダー１８における本体部１９に設けられたカム部２４は、図７に示されるように、複数の第２のコンタクト１７の夫々における可動ビーム部４５の一端部に設けられた受圧部４５ｂからも板状部材差込み部１４側に離隔した位置をとり、当該受圧部４５ｂを押圧移動させる状態にはおかれない。それにより、複数の第２のコンタクト１７の夫々における可動ビーム部４５が変位移動を生じないものとされ、その結果、当該可動ビーム部４５に設けられた接触部４５ａが、板状部材差込み部１４を通じて絶縁ハウジング１３に差し込まれたフレキシブル印刷配線基板１２における端子端部３３に配された第１の接触端子部３２に押圧当接状態におかれることがない。
【００４５】
このようにして、スライダー１８が第１の位置をとるときには、スライダー１８における本体部１９に設けられたカム部２４は、複数の第１のコンタクト１６の夫々における可動ビーム部４２に設けられた接触部４２ａ及び複数の第２のコンタクト１７の夫々における可動ビーム部４５に設けられた接触部４５ａを、板状部材差込み部１４を通じて絶縁ハウジング１３に差し込まれたフレキシブル印刷配線基板１２に対する押圧当接状態から解放するものとされていることになる。
【００４６】
図８（斜視図）及び図９（平面図）は、回路基板１１に実装されたコネクタ装置１０に、そのスライダー１８が第１の位置をとるもとで、フレキシブル印刷配線基板１２が、絶縁ハウジング１３に設けられた板状部材差込み部１４を通じて絶縁ハウジング１３に差し込まれて装着された後に、スライダー１８が、絶縁ハウジング１３に対して第１の位置から移動せしめられて第２の位置をとるものとされた状態を示す（図９においては、回路基板１１の図示が省略されている。）。斯かる状態がとられるに際してのスライダー１８の第１の位置から第２の位置への移行は、スライダー１８に絶縁ハウジング１３における板状部材差込み部１４側からの操作が加えられて、スライダー１８が、その腕上部２２に設けられた被ガイド部２２ａが絶縁ハウジング１３における側縁部２０に設けられたガイド部２０ａによる案内を受けるとともに、その腕上部２３に設けられた被ガイド部２３ａが絶縁ハウジング１３における側縁部２１に設けられたガイド部２１ａによる案内を受けるもとで、第１の位置から第２の位置へと板状部材差込み方向に沿って移動せしめられることにより行われ、その際におけるスライダー１８に対する板状部材差込み部１４側からの操作は、例えば、絶縁ハウジング１３における板状部材差込み部１４が設けられた正面側端縁部からその外部へと突出した位置におかれた、スライダー１８の腕状部２２における板状部材差込み部１４側の端面部２２ｂ及び腕状部２３における板状部材差込み部１４側の端面部２３ｂの夫々を、板状部材差込み方向に沿って、絶縁ハウジング１３における正面側端縁部側から背面側端縁部側へと押圧移動させるものとされる。
【００４７】
スライダー１８が第２の位置をとるもとにあっては、図９における X−X 線断面を示す図１０に示されるように、スライダー１８における本体部１９に設けられたカム部２４が、複数の第１のコンタクト１６の夫々における可動ビーム部４２の一端部に設けられた受圧部４２ｂに当接し、当該受圧部４２ｂを固定ビーム部４１における接続端子部１６ａから離隔させる方向に押圧移動させた状態をとる。このようにして、可動ビーム部４２に設けられた受圧部４２ｂが固定ビーム部４１における接続端子部１６ａから離隔させる方向に押圧移動せしめられることにより、第１のコンタクト１６の夫々における可動ビーム部４２が、その板状部材差込み部１４側の端部に設けられた接触部４２ａを対向する固定ビーム部４１に向かって変位させようとする変位移動を生じ、その結果、当該可動ビーム部４２に設けられた接触部４２ａが、板状部材差込み部１４を通じて絶縁ハウジング１３に差し込まれたフレキシブル印刷配線基板１２における端子端部３３に配された第１の接触端子部３１に押圧当接状態におかれる。
【００４８】
また、スライダー１８が第２の位置をとるもとにあっては、図９におけるXI−XI線断面を示す図１1 に示されるように、スライダー１８における本体部１９に設けられたカム部２４が、複数の第２のコンタクト１７の夫々における可動ビーム部４５の一端部に設けられた受圧部４５ｂにも当接し、当該受圧部４５ｂを固定ビーム部４４における板状部材差込み部１４側とは反対側の端部から離隔させる方向に押圧移動させた状態をとる。このようにして、可動ビーム部４５に設けられた受圧部４５ｂが固定ビーム部４４における板状部材差込み部１４側とは反対側の端部から離隔させる方向に押圧移動せしめられることにより、第２のコンタクト１７の夫々における可動ビーム部４５が、その板状部材差込み部１４側の端部に設けられた接触部４５ａを対向する固定ビーム部４４に向かって変位させようとする変位移動を生じ、その結果、当該可動ビーム部４５に設けられた接触部４５ａが、板状部材差込み部１４を通じて絶縁ハウジング１３に差し込まれたフレキシブル印刷配線基板１２における端子端部３３に配された第２の接触端子部３２に押圧当接状態におかれる。
【００４９】
このようにして、スライダー１８が第２の位置をとるときには、スライダー１８における本体部１９に設けられたカム部２４が、複数の第１のコンタクト１６の夫々における可動ビーム部４２に設けられた受圧部４２ｂに当接して当該受圧部４２ｂを押圧移動させるとともに、複数の第２のコンタクト１７の夫々における可動ビーム部４５に設けられた受圧部４５ｂに当接して当該受圧部４５ｂを押圧移動させることにより、複数の第１のコンタクト１６の夫々における可動ビーム部４２に設けられた接触部４２ａ及び複数の第２のコンタクト１７の夫々における可動ビーム部４５に設けられた接触部４５ａに、板状部材差込み部１４を通じて絶縁ハウジング１３に差し込まれたフレキシブル印刷配線基板１２に対する押圧当接状態をとらせることになる。
【００５０】
複数の第１のコンタクト１６の夫々における接触部４２ａが板状部材差込み部１４を通じて絶縁ハウジング１３に差し込まれたフレキシブル印刷配線基板１２における端子端部３３に配された第１の接触端子部３１に押圧当接状態におかれるとともに、複数の第２のコンタクト１７の夫々における接触部４５ａが板状部材差込み部１４を通じて絶縁ハウジング１３に差し込まれたフレキシブル印刷配線基板１２における端子端部３３に配された第２の接触端子部３２に押圧当接状態におかれたときには、フレキシブル印刷配線基板１２における端子端部３３に配された複数の第１の接触端子部３１及び複数の第２の接触端子部３２が、コネクタ装置１０における複数の第１のコンタクト１６及び複数の第２のコンタクト１７を通じて、コネクタ装置１０が実装された配線基板１１における回路端子部に電気的に連結される。
【００５１】
上述のコネクタ装置１０にあっては、配線基板１１に配される絶縁ハウジング１３に、それに設けられた板状部材差込み部１４を通じてフレキシブル印刷配線基板１２が差し込まれるとともに、絶縁ハウジング１３に対して板状部材差込み方向に沿う方向に滑動可能とされたスライダー１８が、絶縁ハウジング１３に設けられた板状部材差込み部１４側から操作されて、絶縁ハウジング１３に対して板状部材差込み方向に沿う方向に移動せしめられて第１の位置と第２の位置とを選択的にとるものとされ、スライダー１８が第１の位置をとるとき、複数の第１のコンタクト１６及び複数の第２のコンタクト１７が板状部材差込み部１４を通じて絶縁ハウジング１３に差し込まれたフレキシブル印刷配線基板１２に対する押圧接触状態から解放され、また、スライダー１８が第２の位置をとるとき、複数の第１のコンタクト１６及び複数の第２のコンタクト１７が板状部材差込み部１４を通じて絶縁ハウジング１３に差し込まれたフレキシブル印刷配線基板１２に対する押圧接触状態をとるものとされる。
【００５２】
このように、配線基板１１に配される絶縁ハウジング１３に対する板状部材差込み部１４を通じたフレキシブル印刷配線基板１２の差込みと、スライダー１８に、それを絶縁ハウジング１３に対して板状部材差込み方向に沿う方向に移動させて、第１の位置と第２の位置と選択的にとらせる操作とのいずれもが、絶縁ハウジングに１３設けられた板状部材差込み部１４側から行われる。その結果、フレキシブル印刷配線基板１２の絶縁ハウジング１３への板状部材差込み部１４を通じた差込み方向を、絶縁ハウジング１３が配された配線基板１１の面に沿う方向とすることにより、コネクタ装置１０についての、それが搭載された配線基板１１上における当該配線基板１１からの突出寸法、即ち、高さ寸法を比較的小となす薄型化を図ることができ、また、それに加えて、配線基板１１に配された絶縁ハウジング１３における板状部材差込み部１４の外部に設けられる、フレキシブル印刷配線基板１２を絶縁ハウジング１３に板状部材差込み部１４を通じて差し込む操作を行うための空きスペースの他に、絶縁ハウジング１３における板状部材差込み部１４側とは反対側の外部に、スライダー１８を絶縁ハウジング１３に対して板状部材差込み方向に沿う方向に移動させる操作を行うための空きスペースを設けることが不要とされて、配線基板１１上における占有スペースの低減を図ることができる。
【００５３】
即ち、コネクタ装置１０によれば、板状部材差込み部１４が設けられて配線基板１１に配される絶縁ハウジング１３に、複数の第１のコンタクト１６及び複数の第２のコンタクト１７が配列配置されて配されるとともに、複数の第１のコンタクト１６及び複数の第２のコンタクト１７に係合するカム部２４を有したスライダー１８が絶縁ハウジング１３に対して滑動可能とされて設けられたもとで、スライダー１８が複数の第１のコンタクト１６及び複数の第２のコンタクト１７に、絶縁ハウジング１３に板状部材差込み部１４を通じて差し込まれたフレキシブル印刷配線基板１２に対する押圧接触状態をとらせるにあたり、コネクタ装置１０の全体の薄型化と配線基板１１上における占有スペースの低減とを両立させることができることになるのである。
【実施例２】
【００５４】
上述の本願発明の第１の態様に係るコネクタ装置の一例を成す、全体の薄型化と配線基板１１上における占有スペースの低減とを両立させることができるコネクタ装置１０に、配線板状部材を成すフレキシブル印刷配線基板１２を装着して、コネクタ装置１０にフレキシブル印刷配線基板１２を圧接連結する際には、本願発明の第２の態様に係るコネクタ装置に配線板状部材を圧接連結する方法の一例が、以下のようにして実施される。
【００５５】
本願発明の第２の態様に係るコネクタ装置に配線板状部材を圧接連結する方法の一例が実施されるにあたっては、先ず、上述のコネクタ装置１０を配線基板１１に実装された状態をもって用意する。そして、図１に示されるように、コネクタ装置１０におけるスライダー１８を、その腕状部２２における板状部材差込み部１４側の端面部２２ｂ及び腕状部２３における板状部材差込み部１４側の端面部２３ｂの夫々が、絶縁ハウジング１３における板状部材差込み部１４が設けられた正面側端縁部からその外部へと突出した位置におかれることになる、第１の位置をとるものとしたもとで、フレキシブル印刷配線基板１２を板状部材差込み部１４を通じて絶縁ハウジング１３に差し込んで、図４及び図５に示される状態を得る。
【００５６】
それにより、フレキシブル印刷配線基板１２における複数の第１の接触端子部３１及び複数の第２の接触端子部３２が配列配置された端子端部３３を、絶縁ハウジング１３に設けられた板状部材収容部に収容され、板状部材収容部内において複数の第１のコンタクト１６の夫々における固定ビーム部４１の板状部材差込み部１４側の部分とそれに対向する可動ビーム部４２の接触部４２ａが設けられた板状部材差込み部１４側の部分との間、及び、複数の第２のコンタクト１７の夫々における固定ビーム部４４の板状部材差込み部１４側の部分とそれに対向する可動ビーム部４５の接触部４５ａが設けられた板状部材差込み部１４側の部分との間に配されたものとなす。このとき、スライダー１８における本体部１９に設けられたカム部２４は、図６及び図７に示されるように、複数の第１のコンタクト１６の夫々に設けられた受圧部４２ｂ及び複数の第２のコンタクト１７の夫々に設けられた受圧部４５ｂのいずれからも離隔していて、それにより、複数の第１のコンタクト１６の夫々における接触部４２ａ及び複数の第２のコンタクト１７の夫々における接触部４５ａは、板状部材差込み部１４を通じて絶縁ハウジング１３に差し込まれたフレキシブル印刷配線基板１２における端子端部３３に配された第１の接触端子部３１及び第２の接触端子部３２に対する押圧当接状態から解放されている。
【００５７】
その後、スライダー１８を、それに絶縁ハウジング１３における板状部材差込み部１４側からの操作を加えて、絶縁ハウジング１３に対して第１の位置から第２の位置へと板状部材差込み方向に沿って移動させて、図８及び図９に示される状態をとるものとする。それにより、スライダー１８における本体部１９に設けられたカム部２４に、複数の第１のコンタクト１６の夫々に設けられた受圧部４２ｂ及び複数の第２のコンタクト１７の夫々に設けられた受圧部４５ｂに当接して、受圧部４２ｂを固定ビーム部４１における板状部材差込み部１４側とは反対側の端部から離隔させる方向に押圧移動させるとともに、受圧部４５ｂを固定ビーム部４４における板状部材差込み部１４側とは反対側の端部から離隔させる方向に押圧移動させる状態をとらせ、それに伴って、複数の第１のコンタクト１６の夫々に設けられた接触部４２ａに、板状部材差込み部１４を通じて絶縁ハウジング１３に差し込まれたフレキシブル印刷配線基板１２における端子端部３３に配された第１の接触端子部３１に押圧当接状態をとらせるとともに、複数の第２のコンタクト１７の夫々に設けられた接触部４５ａに、板状部材差込み部１４を通じて絶縁ハウジング１３に差し込まれたフレキシブル印刷配線基板１２における端子端部３３に配された第２の接触端子部３２に押圧当接状態をとらせる。
【００５８】
斯かる際、スライダー１８に加える絶縁ハウジング１３における板状部材差込み部１４側からの操作は、絶縁ハウジング１３における板状部材差込み部１４が設けられた正面側端縁部からその外部へと突出した位置におかれた、スライダー１８の腕状部２２における板状部材差込み部１４側の端面部２２ｂ及び腕状部２３における板状部材差込み部１４側の端面部２３ｂの夫々を、板状部材差込み方向に沿って、絶縁ハウジング１３における正面側端縁部側から背面側端縁部側へと押圧移動させるものとなし、それにより、スライダー１８を、その腕上部２２に設けられた被ガイド部２２ａが絶縁ハウジング１３における側縁部２０に設けられたガイド部２０ａによる案内を受けるとともに、その腕上部２３に設けられた被ガイド部２３ａが絶縁ハウジング１３における側縁部２１に設けられたガイド部２１ａによる案内を受けるもとで、第１の位置から第２の位置へと移動するものとなす。
【００５９】
このようにして、複数の第１のコンタクト１６の夫々に設けられた接触部４２ａに、板状部材差込み部１４を通じて絶縁ハウジング１３に差し込まれたフレキシブル印刷配線基板１２における端子端部３３に配された第１の接触端子部３１に対する押圧当接状態をとらせるとともに、複数の第２のコンタクト１７の夫々に設けられた接触部４５ａに、板状部材差込み部１４を通じて絶縁ハウジング１３に差し込まれたフレキシブル印刷配線基板１２における端子端部３３に配された第２の接触端子部３２に対する押圧当接状態をとらせることにより、コネクタ装置１０に対するフレキシブル印刷配線基板１２の圧接連結を容易かつ適正に行うことができることになる。
【００６０】
上述の本願発明の第２の態様に係るコネクタ装置に配線板状部材を圧接連結する方法の一例にあっては、コネクタ装置１０におけるスライダー１８を第１の位置をとるものとしたもとで、フレキシブル印刷配線基板１２を板状部材差込み部１４を通じて絶縁ハウジング１３に差し込む操作、及び、スライダー１８を、それに絶縁ハウジング１３における板状部材差込み部１４側からの操作を加えて、絶縁ハウジング１３に対して第１の位置から第２の位置へと板状部材差込み方向に沿って移動させる操作を、フレキシブル印刷配線基板１２を保持する冶具を用い、該冶具をそれに係合する駆動装置によって移動させることにより行うことができる。
【００６１】
斯かる際における冶具及び駆動装置を含んだ可動冶具機構（可動Ｊｉｇ機構）の一例を成す可動冶具機構５０は、図１２及び図１３に示されるように、フレキシブル印刷配線基板１２を、それにおける接触端子部配列方向において相互対向する一対の側縁部１２ａ及び１２ｂ側から挟んで保持する、一対の冶具５１Ａ及び５１Ｂを備えている。冶具５１Ａ及び５１Ｂは、フレキシブル印刷配線基板１２を保持するにあたり各々がフレキシブル印刷配線基板１２を吸着して固定するものとされており、フレキシブル印刷配線基板１２に対する吸着及び吸着解除に際して機能するエアー流通パイプ５２Ａ及び５２Ｂを夫々備えている。また、冶具５１Ａ及び５１Ｂは、ガイド部材５３を介して可動連結されており、ガイド部材５３による案内を受けるもとで、フレキシブル印刷配線基板１２についての接触端子部配列方向において相互近接あるいは相互離隔する移動を行うことができる。
【００６２】
斯かる冶具５１Ａ及び５１Ｂは、例えば、多関節型ロボットとされる作業ロボットのロボットハンド５４及びロボットハンド５４に固定されたチャッキング機構部５５を含んで構成される駆動装置５６によって移動せしめられる。駆動装置５６を構成するチャッキング機構部５５は、それに冶具５１Ａ及び５１Ｂの夫々が取り付けられるものとされており、取り付けられた冶具５１Ａ及び５１Ｂを、それらによって保持されたフレキシブル印刷配線基板１２についての接触端子部配列方向となる方向において、相互近接あるいは相互離隔させるべく移動させることができるものとされている。また、ロボットハンド５４は、それに固定されたチャッキング機構部５５を、それに取り付けられた冶具５１Ａ及び５１Ｂによって保持されたフレキシブル印刷配線基板１２に、コネクタ装置１０の絶縁ハウジング１３に設けられた板状部材差込み部１４に対応する位置をとらせることができ、さらには、冶具５１Ａ及び５１Ｂをコネクタ装置１０の絶縁ハウジング１３に対する近接移動あるいは離隔移動を行わせることができるものとしている。
【００６３】
このような可動冶具機構５０に含まれる冶具５１Ａ及び５１Ｂを用いて、コネクタ装置１０におけるスライダー１８を第１の位置をとるものとしたもとで、フレキシブル印刷配線基板１２を板状部材差込み部１４を通じて絶縁ハウジング１３に差し込む操作、及び、スライダー１８を、それに絶縁ハウジング１３における板状部材差込み部１４側からの操作を加えて、絶縁ハウジング１３に対して第１の位置から第２の位置へと板状部材差込み方向に沿って移動させる操作を行うにあたっては、先ず、駆動装置５６を構成するチャッキング機構部５５に取り付けられた冶具５１Ａ及び５１Ｂに、冶具５１Ａの側縁部５７Ａ及び冶具５１Ｂの側縁部５７Ｂをフレキシブル印刷配線基板１２における側縁部１２ａ及び１２ｂに夫々係合させて、フレキシブル印刷配線基板１２を吸着して保持する状態をとらせる。このとき、冶具５１Ａの側縁部５７Ａの一端部分及び冶具５１Ｂの側縁部５７Ｂの一端部分を、フレキシブル印刷配線基板１２に設けられた突出係合部３５及び３６に夫々当接させて、冶具５１Ａ及び５１Ｂにより保持されたフレキシブル印刷配線基板１２に対する変位規制を行うものとし、さらに、冶具５１Ａの側縁部５７Ａに、フレキシブル印刷配線基板１２の突出係合部３５における接触端子部配列方向の先端部の外方には突出しない位置をとらせるとともに、冶具５１Ｂの側縁部５７Ｂに、フレキシブル印刷配線基板１２の突出係合部３６における接触端子部配列方向の先端部の外方には突出しない位置をとらせる。
【００６４】
次に、ロボットハンド５４を作動させて、それに固定されたチャッキング機構部５５に取り付けられた冶具５１Ａ及び５１Ｂによって保持されたフレキシブル印刷配線基板１２に、コネクタ装置１０の絶縁ハウジング１３に設けられた板状部材差込み部１４に対応する位置をとらせる。
【００６５】
続いて、ロボットハンド５４を作動させて、それに固定されたチャッキング機構部５５に取り付けられた冶具５１Ａ及び５１Ｂにコネクタ装置１０の絶縁ハウジング１３に対する近接移動を行わせ、それにより、図１４に示されるように、冶具５１Ａ及び５１Ｂによって保持されたフレキシブル印刷配線基板１２を板状部材差込み部１４を通じて絶縁ハウジング１３に差し込む。そして、例えば、板状部材差込み部１４を通じて絶縁ハウジング１３に差し込まれるフレキシブル印刷配線基板１２における突出係合部３５及び３６が、絶縁ハウジング１３の板状部材差込み部１４が設けられた正面側端面部における接触端子部配列方向の両端部に当接するとき、フレキシブル印刷配線基板１２の板状部材差込み部１４を通じた絶縁ハウジング１３への差込みを停止し、フレキシブル印刷配線基板１２における複数の第１の接触端子部３１及び複数の第２の接触端子部３２が配列配置された端子端部３３を、絶縁ハウジング１３内に設けられた板状部材収容部に収容されたものとなす。
【００６６】
さらに続いて、冶具５１Ａ及び５１Ｂに、絶縁ハウジング１３に対する吸着解除を行って絶縁ハウジング１３を保持状態から解放する状態をとらせたもとで、チャッキング機構部５５により、冶具５１Ａ及び５１Ｂに、それらによって保持されていたフレキシブル印刷配線基板１２についての接触端子部配列方向となる方向において相互離隔させるべく、ガイド部材５３による案内を受けるもとでの移動を行わせる。斯かる冶具５１Ａ及び５１Ｂの相互離隔方向の移動は、図１５に示されるように、冶具５１Ａの側縁部５７Ａが、フレキシブル印刷配線基板１２の突出係合部３５における接触端子部配列方向の先端部の外方に突出した位置をとるものとなるとともに、冶具５１Ｂの側縁部５７Ｂが、フレキシブル印刷配線基板１２の突出係合部３６における接触端子部配列方向の先端部の外方に突出した位置をとるものとなったとき停止させる。
【００６７】
その後、ロボットハンド５４をさらに作動させて、それに固定されたチャッキング機構部５５に取り付けられた冶具５１Ａ及び５１Ｂに、フレキシブル印刷配線基板１２に対する保持状態を解除したもとで、コネクタ装置１０の絶縁ハウジング１３に対する更なる近接移動を行わせる。そして、図１６に示されるように、冶具５１Ａの側縁部５７Ａの一端部及び冶具５１Ｂの側縁部５７Ｂの一端部に、絶縁ハウジング１３における板状部材差込み部１４が設けられた正面側端縁部からその外部へと突出した位置におかれた、スライダー１８の腕状部２２における板状部材差込み部１４側の端面部２２ｂ及び腕状部２３における板状部材差込み部１４側の端面部２３ｂに夫々当接して、それらを板状部材差込み方向に沿う方向に押圧し、絶縁ハウジング１３における正面側端縁部側から背面側端縁部側へと押圧移動させる状態をとらせ、それにより、スライダー１８を、その腕状部２２に設けられた被ガイド部２２ａが絶縁ハウジング１３における側縁部２０に設けられたガイド部２０ａによる案内を受けるとともに、その腕状部２３に設けられた被ガイド部２３ａが絶縁ハウジング１３における側縁部２１に設けられたガイド部２１ａによる案内を受けるもとで、第１の位置から第２の位置へと移動させる。
【００６８】
そして、斯かる冶具５１Ａの側縁部５７Ａの一端部及び冶具５１Ｂの側縁部５７Ｂの一端部によるスライダー１８の腕状部２２における板状部材差込み部１４側の端面部２２ｂ及び腕状部２３における板状部材差込み部１４側の端面部２３ｂに夫々に対する板状部材差込み方向に沿う方向の押圧は、スライダー１８が第２の位置をとるものとされたとき停止させる。
【００６９】
このようにして、コネクタ装置１０におけるスライダー１８を第１の位置をとるものとしたもとで、フレキシブル印刷配線基板１２を板状部材差込み部１４を通じて絶縁ハウジング１３に差し込む操作、及び、スライダー１８を、それに絶縁ハウジング１３における板状部材差込み部１４側からの操作を加えて、絶縁ハウジング１３に対して第１の位置から第２の位置へと板状部材差込み方向に沿って移動させる操作を、フレキシブル印刷配線基板１２を保持する冶具５１Ａ及び５１Ｂを用い、その冶具５１Ａ及び５１Ｂを駆動装置５６によって移動させることにより行うことができるのである。
【産業上の利用可能性】
【００７０】
以上のような本願発明の第１の態様に係るコネクタ装置は、板状部材差込み部が設けられて配線基板に配される絶縁ハウジングに、複数のコンタクトが配列配置されて配されるとともに、複数のコンタクトに係合するカム部を有したスライダーが絶縁ハウジングに対して滑動可能とされて設けられたもとで、スライダーが複数のコンタクトに絶縁ハウジングに板状部材差込み部を通じて差し込まれた配線板状部材に対する押圧接触状態をとらせるにあたり、コネクタ装置全体の薄型化と配線基板上における占有スペースの低減とを両立させることができるものとして、また、本願発明の第２の態様に係るコネクタ装置に配線板状部材を圧接連結する方法は、全体の薄型化と配線基板上における占有スペースの低減とを両立させることができるコネクタ装置に、配線板状部材を容易かつ適正に圧接連結することができるものとして、様々な電子機器等に広く適用され得るものである。
【符号の説明】
【００７１】
１０・・・コネクタ装置，  １１・・・配線基板，  １２・・・フレキシブル印刷配線基板，  １２ａ，１２ｂ・・・（フレキシブル印刷配線基板１２の）側縁部，  １３・・・絶縁ハウジング，  １４・・・板状部材差込み部，  １６・・・第１のコンタクト，  １６ａ，１７ａ・・・接続端子部，  １７・・・第２のコンタクト，  １８・・スライダー，  １９・・・本体部，  ２０，２１・・・（絶縁ハウジング１３の）側縁部，  ２０ａ，２１ａ・・・ガイド部，  ２２，２３・・・腕状部，  ２２ａ，２３ａ・・・被ガイド部，  ２２ｂ，２３ｂ・・・端面部，  ２４・・・カム部，  ３１・・・第１の接触端子部，  ３２・・・第２の接触端子部，  ３３・・・端子端部，  ３４・・・回路構成部，  ３５，３６・・・突出係合部，  ４０・・・底板部，  ４１，４４・・・固定ビーム部，  ４２，４５・・・可動ビーム部，  ４２ａ，４５ａ・・・接触部，  ４２ｂ, ４５ｂ・・・受圧部,   ４３，４６・・・連結部，  ５０・・・可動冶具機構，  ５１Ａ，５１Ｂ・・・冶具，  ５２Ａ，５２Ｂ・・・エアー流通パイプ，  ５３・・・ガイド部材，  ５４・・・ロボットハンド，  ５５・・・チャッキング機構部，  ５６・・・駆動装置，  ５７Ａ，５７Ｂ・・・（冶具５１Ａ及び５１Ｂの）側縁部
【図１】
2019050115.tif 000003
【図２】
2019050115.tif 000004
【図３】
2019050115.tif 000005
【図４】
2019050115.tif 000006
【図５】
2019050115.tif 000007
【図６】
2019050115.tif 000008
【図７】
2019050115.tif 000009
【図８】
2019050115.tif 000010
【図９】
2019050115.tif 000011
【図１０】
2019050115.tif 000012
【図１１】
2019050115.tif 000013
【図１２】
2019050115.tif 000014
【図１３】
2019050115.tif 000015
【図１４】
2019050115.tif 000016
【図１５】
2019050115.tif 000017
【図１６】
2019050115.tif 000018